(57)【特許請求の範囲】
【請求項１】
画像記録装置に着脱可能な給紙カセットであって、
上側に開口を有し、当該開口を通じて内部に被記録媒体が収容されるトレイと、
上記開口のうち上記トレイの先端側の第１領域を除く当該トレイの後端側の第２領域を覆う蓋と、
第１端側が上記トレイに回動可能に連結され、第２端側が上記蓋における上記先端側に回動可能に連結されたリンクと、を具備し、
上記リンクは、上記第２端が第１位置に配置された第１姿勢と、当該第２端が上記第１位置よりも高い第２位置に配置された第２姿勢と、の間で姿勢変化される給紙カセット。
【請求項２】
上記リンクの第１端は、上記給紙カセットが上記画像記録装置に装着された状態で当該画像記録装置内に配置される請求項１に記載の給紙カセット。
【請求項３】
上記蓋の上記リンクに対する上記先端側への回動を制止する第１ストッパを備える請求項１又は２に記載の給紙カセット。
【請求項４】
上記第１位置は、上記リンクの第２端が第１端と略同じ高さとなる位置であって、
上記第１ストッパは、上記第１姿勢の上記リンクに対して上記蓋が上記先端側へ傾倒された状態で当該蓋の回動を制止する請求項３に記載の給紙カセット。
【請求項５】
上記第１ストッパは、上記リンクと当接可能に上記蓋に設けられた第１突片である請求項３又は４に記載の給紙カセット。
【請求項６】
上記リンクが上記後端側へ傾倒された状態で当該リンクの上記先端側への回動を制止する第２ストッパを備える請求項１から５のいずれかに記載の給紙カセット。
【請求項７】
上記第２ストッパは、上記リンクと当接可能に上記トレイに設けられた第２突片である請求項６に記載の給紙カセット。
【請求項８】
上記蓋は、上記リンクを挟んで上記トレイの内側に配置されるものであって、
上記リンクは、上記第１端側に第１軸を有し、且つ上記第２端側に第１孔を有し、
上記トレイは、当該トレイの側壁に上記第１軸を回転可能に支持する第２孔を有し、
上記蓋は、上記第１孔に回転可能に支持される第２軸を有する請求項１から７のいずれかに記載の給紙カセット。
【請求項９】
上記第２軸は、上記第１孔に支持された状態で当該第２軸の先端が当該第１孔から上記トレイの側壁側へ突出するものであり、
上記第２軸の先端は、上記第１孔よりも当該第２軸の径方向外側へ突出する突起を有し、
上記リンクは、上記第２端が上記第１端よりも上記トレイの幅方向の内側に配置される屈曲形状のものである請求項８に記載の給紙カセット。
【請求項１０】
上記画像記録装置は、上記トレイから供給された被記録媒体を所定の搬送路に沿って搬送する搬送部を備え、
上記蓋は、上記搬送部によって上記搬送路から排出された被記録媒体が載置される請求項１から９のいずれかに記載の給紙カセット。
【発明の詳細な説明】
【技術分野】
【０００１】
本発明は、画像記録装置に着脱可能な給紙カセットに関する。
【背景技術】
【０００２】
インクジェットプリンタでは、記録用紙が用紙搬送部によって所定の搬送路に沿って搬送され、その搬送過程で記録用紙に記録部からインクが吐出されて画像記録が行われる（例えば特許文献１参照）。特許文献１に記載のインクジェットプリンタは、プリンタカバーを開くことによって用紙搬送部や記録部などのメンテナンス作業を行うことができる。プリンタカバーは、リンクを介して装置本体のハウジングに連結されている。このリンクは、両端に穴が形成されている。リンクの一方の穴には、ハウジングに設けられている軸が挿入される。この軸には、プリンタカバーが開く方向へリンクを回動付勢する捻りコイルバネが取り付けられている。また、リンクの他方の穴には、プリンタカバーに設けられている軸が挿入される。これにより、プリンタカバーは、２つの軸を中心にハウジングに対して回動可能に構成されている。
【０００３】
特許文献１に記載のインクジェットプリンタでは、ユーザがプリンタカバーを引き上げることにより、プリンタカバー及びリンクが装置本体に対して一体的に回動される。リンクが所定の位置まで回動されると、リンクの突出部がハウジングに当接してリンクの回動が制止される。この状態からプリンタカバーがさらに操作されると、プリンタカバーがリンクに対して回動される。その結果、装置本体の開口が開放される。
【０００４】
ところで、インクジェットプリンタやレーザプリンタなどの画像記録装置の中には、給紙カセットを備えるものがある。この給紙カセットは、画像記録装置で使用される記録用紙を収容するものであって、画像記録装置に対して着脱可能に構成されている。給紙カセットは、給紙トレイ及び蓋を有する。給紙トレイの上側には開口が設けられており、この開口を通じて給紙トレイ内に記録用紙が収容される。蓋は、上記開口における給紙トレイの後端側の領域を覆うように給紙トレイの上側に配置されており、給紙トレイに対して回動可能に構成されている。なお、上記開口における給紙トレイの先端側の領域は、給紙トレイに収容された記録用紙に圧接される給紙ローラが配置されるので開放されている。つまり、蓋の軸は、給紙トレイの開口部分に設けられている。この蓋が開かれることにより上記開口における後端側の領域が開放され、軸の下側を通じて給紙トレイに記録用紙が挿入される。
【０００５】
【特許文献１】特開２００７−１６０８１６号公報
【発明の開示】
【発明が解決しようとする課題】
【０００６】
上述した従来の給紙カセットは、蓋の軸が給紙トレイの開口部分に設けられているので、蓋を開いた際に蓋の回動中心の周辺が給紙トレイ内に入り込む。このため、蓋を開くことによって軸の下側の空間が狭くなり、この空間を通過できる枚数しか記録用紙などの被記録媒体を給紙トレイに収容できないという問題がある。換言すれば、蓋の回動中心の周辺が給紙トレイ内に入り込むことによって、給紙トレイ内に被記録媒体を収容することができないデッドスペースが生じるという問題がある。蓋の軸の位置を高くすることによってこの問題が解決されるが、この場合、給紙カセットの高さが高くなり、結果として画像記録装置が大型化するという別の問題が生じる。いずれにしても、給紙カセットの内部空間すべてを被記録媒体の収容空間として有効活用することが難しかった。
【０００７】
本発明は、かかる問題に鑑みてなされたものであり、画像記録装置を大型化させることなく、内部空間のすべてを被記録媒体の収容空間として有効活用することができる給紙カセットを提供することを目的とする。
【課題を解決するための手段】
【０００８】
(1)  本発明に係る給紙カセットは、画像記録装置に着脱可能な給紙カセットであって、トレイと、蓋と、リンクと、を具備する。トレイは、上側に開口を有し、当該開口を通じて内部に被記録媒体が収容される。蓋は、上記開口のうち上記トレイの先端側の第１領域を除く当該トレイの後端側の第２領域を覆う。リンクは、第１端側が上記トレイに回動可能に連結され、第２端側が上記蓋における上記先端側に回動可能に連結されている。上記リンクは、上記第２端が第１位置に配置された第１姿勢と、当該第２端が上記第１位置よりも高い第２位置に配置された第２姿勢と、の間で姿勢変化される。
【０００９】
トレイの上面には開口が設けられている。この開口のうち、第２領域は蓋で覆われており、第１領域は開放されている。給紙カセットが画像記録装置に装着されると、例えばローラが第１領域に配置され、当該ローラがトレイ上の被記録媒体に圧接される。この状態でローラが回転駆動されることにより、画像記録装置に記録用紙が供給される。
【００１０】
給紙カセットは、トレイとリンクとが回動可能に連結され、リンクと蓋とが回動可能に連結されている。第２領域を覆う蓋が開かれた際に、リンクが回動して第１姿勢から第２姿勢へ姿勢変化される。これにより、蓋の回動中心が上方へ移動し、開口の第２領域を通じてトレイ内に被記録媒体を入れるための空間が上方へ拡張される。したがって、蓋の回動中心を高くするために給紙カセットの高さを高くすることなく、開口から軸の下側を通じてトレイに被記録媒体を挿入するために必要な空間が充分に確保される。
【００１１】
(2)  上記リンクの第１端は、上記給紙カセットが上記画像記録装置に装着された状態で当該画像記録装置内に配置される。
【００１２】
給紙カセットが装着された状態でリンクの第１端が画像記録装置内に配置されるように画像記録装置が構成されている場合、トレイに被記録媒体を挿入しやすくするために蓋の回動中心を高くすると、画像記録装置が大型化（厚型化）するという問題がある。上記構成により、蓋の回動中心を高くするために給紙カセットの高さを高くする必要がないので、開口から軸の下側を通じてトレイに被記録媒体を挿入するために必要な空間を充分に確保しつつ、画像記録装置を薄型化することができる。
【００１３】
(3)  本発明の給紙カセットは、上記蓋の上記リンクに対する上記先端側への回動を制止する第１ストッパを備えていてもよい。
【００１４】
給紙トレイと蓋とをリンクで連結して２つの軸を中心に蓋が回動されるように構成した場合、回動中心が２つ存在するためにバネ等の付勢手段を設けなければ、リンクがスムーズに姿勢変化せず、場合によってはリンクが破損するといった問題が生じる。上記構成により、第２領域を覆う蓋に外力が加えられて、当該蓋がトレイの先端側へ向けて所定位置まで回動されると、第１ストッパによってリンクに対する蓋の回動が制止される。この状態から蓋にさらに外力が加えられると、蓋とともにリンクが回動され、リンクが第１姿勢から第２姿勢へ姿勢変化される。これにより、バネ等の付勢手段を設けることなく、リンクの姿勢変化がスムーズに行われる。
【００１５】
(4)  上記第１位置は、上記リンクの第２端が第１端と略同じ高さとなる位置であって、上記第１ストッパは、上記第１姿勢の上記リンクに対して上記蓋が上記先端側へ傾倒された状態で当該蓋の回動を制止することが好ましい。
【００１６】
開口の第２領域を覆う蓋が開かれてトレイの先端側へ傾倒されると、リンクに対する蓋の回動が第１ストッパによって制止される。この状態から蓋がさらに回動されると、リンクが第１姿勢から第２姿勢へ姿勢変化される。蓋が開口の第１領域を覆う位置まで回動されることによって当該蓋の回動が制止され、リンクが第２姿勢となる。リンクは、第１姿勢において第２端が第１端と略同じ高さであるため、リンクの第２端側がトレイの後端側へ傾倒された状態で第２姿勢となる。このため、リンクの第２姿勢から第１姿勢への姿勢変化がスムーズに行われる。
【００１７】
(5)  上記第１ストッパは、上記リンクと当接可能に上記蓋に設けられた第１突片であってもよい。
【００１８】
(6)  本発明の給紙カセットは、上記リンクが上記後端側へ傾倒された状態で当該リンクの上記先端側への回動を制止する第２ストッパを備える。
【００１９】
リンクがトレイの先端側へ傾倒された状態で第２姿勢となることが防止される。その結果、リンクの第２姿勢から第１姿勢への姿勢変化はスムーズに行われる。
【００２０】
(7)  上記第２ストッパは、上記リンクと当接可能に上記トレイに設けられた第２突片であってもよい。
【００２１】
(8)  上記蓋は、上記リンクを挟んで上記トレイの内側に配置されるものであって、上記リンクは、上記第１端側に第１軸を有し、且つ上記第２端側に第１孔を有し、上記トレイは、当該トレイの側壁に上記第１軸を回転可能に支持する第２孔を有し、上記蓋は、上記第１孔に回転可能に支持される第２軸を有していてもよい。
【００２２】
(9)  上記第２軸は、上記第１孔に支持された状態で当該第２軸の先端が当該第１孔から上記トレイの側壁側へ突出するものであり、上記第２軸の先端は、上記第１孔よりも当該第２軸の径方向外側へ突出する突起を有し、上記リンクは、上記第２端が上記第１端よりも上記トレイの幅方向の内側に配置される屈曲形状のものであることが好ましい。
【００２３】
上記構成により、第２軸の先端に設けられた突起をトレイの側壁よりも当該トレイの幅方向の内側に配置され得る。これにより、トレイの幅を広げることなく第１孔からの第２軸の抜けが防止される。
【００２４】
(10)  上記画像記録装置は、上記トレイから供給された被記録媒体を所定の搬送路に沿って搬送する搬送部を備え、上記蓋は、上記搬送部によって上記搬送路から排出された被記録媒体が載置されるものでもよい。
【発明の効果】
【００２５】
本発明によれば、蓋の回動中心を高くするために給紙カセットの高さを高くすることなく、開口から軸の下側を通じてトレイに被記録媒体を挿入するために必要な空間を充分に確保することができる。
【発明を実施するための最良の形態】
【００２６】
以下、適宜図面を参照して本発明の一実施形態について説明する。なお、本実施形態は本発明を具体化した一例にすぎず、本発明の要旨を変更しない範囲で、実施形態を適宜変更できることは言うまでもない。
【００２７】
［図面の説明］
図１は、給紙カセット１０の外観形状を示す斜視図であり、給紙カセット１０が縮短された状態を示す。図２は、給紙カセット１０の外観形状を示す斜視図であり、給紙カセット１０が伸張された状態を示す。図３は、給紙カセット１０の外観形状を示す斜視図であり、排紙トレイ２１が給紙トレイ２０の先端２９側へ回動された状態を示す。図４は、給紙カセット１０が装着されたインクジェットプリンタ１００の外観形状を示す斜視図である。図５は、プリンタ１００の内部構造を示す模式図である。図６は、給紙トレイ２０の平面図であり、給紙トレイ２０が縮短された状態を示す。図７は、図６におけるVII部の拡大図である。図８は、排紙トレイ２１の平面図であり、排紙トレイ２１が縮短された状態を示す。図９は、給紙カセット１０の分解斜視図であり、リンク１３０周辺の構成を示す。図１０は、リンク１３０の平面図である。図１１は、図１におけるXI部の拡大図である。図１２は、給紙カセット１０の要部拡大側面図であり、排紙トレイ２１が給紙トレイ２０の第２領域４２を覆った状態を示す。図１３は、給紙カセット１０の要部拡大側面図であり、排紙トレイ２１の第１突片９２がリンク１３０の屈曲部１３３に当接した状態を示す。図１４は、給紙カセット１０の要部拡大側面図であり、排紙トレイ２１が給紙トレイ２０の第１領域４１を覆った状態を示す。図１５は、図３におけるXV部の拡大図である。なお、図４に示されたインクジェットプリンタ（本発明の画像記録装置の一例、以下「プリンタ」と略称する。）１００は、その上側に原稿の画像を読み取るスキャナ等を備えているが、スキャナは本発明とは直接関係しないため図示されていない。また、図５においては、給紙トレイ２０の一部、排紙トレイ２１の一部、下段トレイ１０３などが省略されている。
【００２８】
［給紙カセット１０の構成］
本発明の実施形態に係る給紙カセット１０は、記録用紙（本発明の被記録媒体の一例）を収容するものである。図１から図３に示されるように、給紙カセット１０は、給紙トレイ２０（本発明のトレイの一例）及び排紙トレイ２１（本発明の蓋の一例）を備える。給紙トレイ２０及び排紙トレイ２１は、排紙トレイ２１を給紙トレイ２０の上側として上下２段に配置されている。
【００２９】
給紙トレイ２０は、画像記録に使用される記録用紙を収容するものである。給紙トレイ２０の内部には、例えばＡ３サイズ、Ａ４サイズ、Ｂ５サイズ、はがきサイズなどの日本工業規格に規定される各種サイズの記録用紙が収容される。給紙トレイ２０は、その内部に収容される記録用紙のサイズに応じて、挿入方向１０６及び引出方向１０８へ伸縮可能に構成されている（図１及び図２参照）。ここで、挿入方向１０６は、給紙カセット１０が開口１０５（図４参照）を通じてプリンタ１００に挿し込まれる方向である。引出方向１０８は、プリンタ１００に装着されている給紙トレイ１０（図４参照）が開口１０５から引き出される方向である。なお、給紙トレイ２０の上側には、記録用紙を収容するための開口４０（本発明の開口の一例、図３参照）が設けられている。
【００３０】
排紙トレイ２１は、画像記録後の記録用紙が載置されるものである。排紙トレイ２１は、給紙トレイ２０の幅方向１６を軸方向として給紙トレイ２０の上方へ回動可能に構成されている。給紙トレイ２０に対して排紙トレイ２１が倒伏された状態では、図１及び図２に示されるように、排紙トレイ２１は開口４０の第２領域４２（本発明の第２領域の一例、図３参照）を覆う。ここで、第２領域４２は、給紙トレイ２０の開口４０のうち、排紙トレイ２１の軸９１（本発明の第２軸の一例、図１１参照）よりも給紙トレイ２０の後端３２側の領域である。給紙トレイ２０に対して排紙トレイ２１が倒伏された状態で、排紙トレイ２１は、画像記録済みの記録用紙を保持するとともに、給紙トレイ２０の蓋として機能する。
【００３１】
給紙トレイ２０に対して排紙トレイ２１が先端２９側へ回動されると、図３に示されるように、排紙トレイ２１は開口４０の第１領域４１（本発明の第１領域の一例、図１及び図２参照）を覆う。ここで、第１領域４１は、給紙トレイ２０の開口４０のうち、排紙トレイ２１の軸９１よりも給紙トレイ２０の先端２９側の領域である。排紙トレイ２１が先端２９側へ回動されると、図３に示されるように、開口４０の第２領域４２が開放される。これにより、第２領域４２を通じて給紙トレイ２０の内部に記録用紙を収容することが可能となる。なお、給紙トレイ２０に対して排紙トレイ２１が倒伏された状態（図１や図２に示される状態）で第１領域４１が開放されているのは、給紙トレイ２０の上側に後述の給紙ローラ２５及びアーム２６が配置されるためである（図５参照）。
【００３２】
このような給紙トレイ２０及び排紙トレイ２１を備える給紙カセット１０は、プリンタ１００に着脱可能であり、プリンタ１００に装着されて使用される。図４に示されるように、プリンタ１００の正面１０２の中央に開口１０５が設けられている。給紙カセット１０は、この開口１０５を通じてプリンタ１００に対して挿抜される。具体的には、給紙カセット１０は、先端２９（本発明の先端の一例）側から挿入方向１０６へ挿し込まれてプリンタ１００に装着される。給紙カセット１０は、プリンタ１００に装着されると、開口１０５内に配置される（図４参照）。これにより、給紙トレイ２０に収容された記録用紙がプリンタ１００へ供給可能となる。給紙カセット１０は、引出方向１０８へ開口１０５から引き出されることにより、プリンタ１００から取り出される。これにより、給紙トレイ２０への記録用紙の補充が可能となる。
【００３３】
図４に示されるように、開口１０５内に配置された給紙カセット１０の下側には、下段トレイ１０３が設けられている。下段トレイ１０３には、画像記録に使用される記録用紙が収容される。プリンタ１００では、給紙トレイ２１又は下段トレイ１０３からプリンタ１００内へ記録用紙が選択的に供給されて画像記録が行われる。下段トレイ１０３は、給紙トレイ２１と同様の構成を有している。このため、給紙トレイ２１の構成を後述することにより、下段トレイ１０３の構成についてはその説明を省略する。
【００３４】
［プリンタ１００の概略構成］
以下、プリンタ１００の概略構成について説明する。
【００３５】
給紙カセット１０がプリンタ１００に装着されると、給紙トレイ２０の傾斜板２２が搬送路２３（本発明の所定の搬送路の一例）の下方に配置される。傾斜板２２は、プリンタ１００の装置背面側（図５における右側）へ倒れるように傾斜している。給紙トレイ２０に収容された記録用紙は、この傾斜板２２に沿って上方へ案内されて、搬送路２３へ供給される。搬送路２３は記録用紙が搬送される経路であり、その一部が湾曲状に形成されている。具体的には、搬送路２３は、傾斜板２２から上方へ向かった後、プリンタ１００の正面側へ曲げられ、記録部２４を経て排紙トレイ２１まで延設されている。
【００３６】
給紙カセット１０がプリンタ１００に装着されると、図５に示されるように、給紙トレイ２０の上側に給紙ローラ２５が配置される。給紙ローラ２５は、第１領域４１を通じて給紙トレイ２０の上側に配置される。プリンタ１００の図示しないフレームに支持された軸２８にアーム２６が回動可能に設けられている。給紙ローラ２５は、このアーム２６の先端に回転可能に支持されている。アーム２６は、自重によって或いはバネ等による弾性力を受けて給紙トレイ２０側へ回動付勢されている。軸２８及びアーム２６に設けられた動力伝達機構（不図示）を介して、モータ（不図示）の駆動力が給紙ローラ２５へ伝達される。給紙ローラ２５が給紙トレイ２０上の記録用紙に当接した状態で上記駆動力が給紙ローラ２５に伝達されると、給紙ローラ２５によって給紙トレイ２０上の最上位置の記録用紙が取り出されて、搬送路２３へ供給される。なお、給紙カセット１０が開口１０５（図４参照）を通じてプリンタ１００に対して挿抜される際には、アーム２６及び給紙ローラ２５が上側に待避される。
【００３７】
搬送路２３において、その湾曲部よりも記録用紙１５の搬送方向１７の下流側（図５における左側）にプラテン２７が設けられている。プラテン２７は、搬送路２３に沿って搬送される記録用紙１５を下から支持するものである。プラテン２７の上側に記録部２４が設けられている。記録部２４は、インクジェット記録方式の記録ヘッド１９と、この記録ヘッド１９を搭載するキャリッジ１８を備える。キャリッジ１８は、搬送方向１７に直交する水平方向（図５の紙面に垂直な方向）へ往復移動が可能に構成されている。記録ヘッド１９は、キャリッジ１８の底面に配置されており、記録ヘッド１９のノズルがキャリッジ１８の底面から下方へ露出されている。プリンタ１００の内部に配置されたインクカートリッジ（不図示）からのインクが記録ヘッド１９に供給される。キャリッジ１８が移動される間に、記録ヘッド１９のノズルからインクが微小なインク滴としてプラテン２７へ向けて選択的に吐出される。これにより、プラテン２７上を搬送される記録用紙１５に画像が記録される。
【００３８】
搬送路２３には、搬送部３０（本発明の搬送部の一例）が設けられている。搬送部３０は、一対の搬送ローラ対３８及び一対の排出ローラ対３９を有して構成されている。搬送ローラ対３８は、記録部２４よりも搬送方向１７の上流側に設けられており、搬送ローラ３３とピンチローラ３４とを有する。ピンチローラ３４は、回転自在に支持されるとともに、搬送ローラ３３へ向けてバネなどによって付勢されている。排出ローラ対３９は、記録部２４よりも搬送方向１７の下流側に設けられており、排紙ローラ３５と拍車３６とを有する。拍車３６は、回転自在に支持されるとともに、排紙ローラ３５へ向けてバネなどによって付勢されている。
【００３９】
搬送ローラ３３の軸に、複数のギヤからなるギヤ駆動機構（不図示）が連結されている。モータの回転駆動力は、ギヤ駆動機構を介して搬送ローラ３３の軸へ伝達される。これにより、搬送ローラ３３が所定の回転速度で回転され、搬送ローラ３３及びピンチローラ３４に挟持された記録用紙１５がプラテン２７上へ送られる。搬送ローラ３３と排紙ローラ３５とはギヤなどの伝達機構により連結されており、該伝達機構を介して搬送ローラ３３から駆動力が排紙ローラ３５に伝達される。これにより、搬送ローラ３３と排紙ローラ３５とが同期駆動される。このため、排紙ローラ３５及び拍車３６に挟持された記録用紙１５が搬送路２３から排紙トレイ２１上へ排出される。このように、給紙トレイ２０から供給された記録用紙１５は、搬送ローラ対３８及び排出ローラ対３９によって搬送路２３に沿ってプラテン２７上を搬送される過程で画像が記録され、排紙トレイ２１に載置される。
【００４０】
［給紙トレイ２０の構成］
給紙カセット１０は、大別して、給紙トレイ２０、排紙トレイ２１、及びリンク１３０（本発明のリンクの一例）を備える。以下、給紙トレイ２０の構成について詳細に説明する。
【００４１】
給紙トレイ２０は、図３及び図６に示されるように、平面視で挿入方向１０６及び引出方向１０８へ長い矩形の皿状に概ね形成されている。給紙トレイ２０は、トレイ本体７１及び拡張トレイ７２を有する。拡張トレイ７２は、トレイ本体７１に対して挿入方向１０６及び引出方向１０８へスライド可能に構成されている。トレイ本体７１に対して拡張トレイ７２が必要に応じて挿入方向１０６又は引出方向１０８へスライドされる。これにより、給紙トレイ２０のシート積載面が拡張又は縮小され、給紙トレイ２０に上述の各種サイズの記録用紙を収容することができる。
【００４２】
トレイ本体７１は、記録用紙が載置される底板７５を有する。底板７５における先端２９側の端部には、傾斜板２２が設けられている。傾斜板２２は、トレイ本体７１の幅方向１６に長い板状部材である。傾斜板２２は、上述のようにプリンタ１００の装置背面側（挿入方向１０６側）へ傾倒している。このため、給紙トレイ２０に収容されている記録用紙の先端が傾斜板２２に当接すると、その先端が傾斜板２２の内側面７３に沿って斜め上方、すなわち搬送路２３へ案内される。
【００４３】
トレイ本体７１には、図３及び図６に示されるように、一対のサイドガイド７７が設けられている。サイドガイド７７のうちいずれか一方がトレイ本体７１の幅方向１６へスライドされる。これに連動して、サイドガイド７７のうちの他方が相反する方向へスライドされる。このため、給紙トレイ２０に載置された記録用紙の幅が２つのサイドガイド７７の離間距離よりも狭い場合は、一方のサイドガイド７７を記録用紙へ向けてスライドさせることにより、他方のサイドガイド７７が同時に移動される。これにより、記録用紙の幅方向の中央位置が給紙トレイ２０の幅方向の中央に略一致する。
【００４４】
図３及び図６に示されるように、給紙トレイ２０の幅方向１６における底板７５の両端に側壁８１（本発明の側壁の一例）が設けられている。側壁８１は、挿入方向１０６及び排出方向１０８へ延びるように設けられている。２つの側壁８１の離間距離は、幅方向１６において、側壁８１が拡張トレイ９６の側壁９８（図２参照）の外側に位置するように設定されている。
【００４５】
側壁８１の内側には、側端ガイド１１１，１１２が挿入方向１０６へ並べられている。側端ガイド１１１，１１２は、断面が逆Ｕ字形状のガイド溝１１０（図３参照）を有する。ガイド溝１１０は、拡張トレイ７２のスライド方向を挿入方向１０６及び引出方向１０８へ規制するものである。側端ガイド１１１，１１２のガイド溝１１０に拡張トレイ７２のレール１１９（図３参照）が挿入される。
【００４６】
図６に示されるように、拡張トレイ７２における幅方向１６の中央に、リヤガイド８０が設けられている。リヤガイド８０は、挿入方向１０６及び引出方向１０８へスライド可能に構成されている。給紙トレイ２０に記録用紙が収容された状態でリヤガイド８０が挿入方向１０６へスライドされる。これにより、リヤガイド８０が記録用紙の後端に当接する。その結果、記録用紙の後端が揃えられるとともに、後端が記録用紙のサイズに応じた所定位置に規制される。記録用紙は、その先端が記録用紙のサイズにかかわらず、給紙トレイ２０内の傾斜板２２に近接する位置に位置決めされる。
【００４７】
拡張トレイ７２の幅方向１６の両端それぞれには、幅方向の壁面を構成するとともに、トレイ本体７１のガイド溝１１０に挿入されるレール１１９（図３参照）が挿入方向１０６へ延びるように設けられている。レール１１９は、ガイド溝１１０に挿入され得る位置及び形状に形成されている。
【００４８】
図３及び図６に示されるように、拡張トレイ７２の後端３２における幅方向（矢印１６の方向）の両側に、凸部７４が設けられている。凸部７４は、拡張トレイ７２から上方へ突出されている。この凸部７４は、排紙トレイ２１の拡張トレイ９６の凹部９３（図３参照）に収容可能なものであり、凹部９３に対応する位置及び形状に形成されている。
【００４９】
側端ガイド１１２の上方には、図７に示されるように、リンク１３０を回動可能に支持する支持部１２１が設けられている。支持部１２１は、図７に示されるように、側壁８１、内壁５５、支持孔５７（本発明の第２孔の一例、図９参照）、支持面５１、ガイド面５９、及び第２突片５３（本発明の第２ストッパの一例、本発明の第２突片に相当）を有して構成されている。
【００５０】
支持孔５７（図９及び図１１参照）は、リンク１３０の軸１３９（本発明の第１軸の一例、図９参照）を回転可能に支持するものである。支持孔５７の内径は、軸１３９が円滑に回転するように、軸１３９の外径よりも若干大きく設定されている。支持孔５７は、図９に示されるように、側壁８１の上端付近に設けられている。給紙トレイ２０に対してリンク１３０が回動された際に、支持孔５７が側壁８１の下端付近に設けられている場合に比べて、排紙トレイ２１の軸９１（図１５参照）がより上方へ移動する。また、支持孔５７は、給紙トレイ２０の先端２９から引出方向１０８へ所定の距離を隔てた位置に設けられている。これは、給紙トレイ２０の先端２９側に、給紙ローラ２５及びアーム２６が配置される第１領域４１を確保するためである。したがって、給紙トレイ２０の長手方向（挿入方向１０６及び引出方向１０８）における支持孔５７の位置は、給紙ローラ２５やアーム２６が配置される位置に応じて設定される。
【００５１】
図７及び図９に示されるように、側端ガイド１１２の上面には、鉛直上向きに延びる内壁５５が設けられている。内壁５５は、側壁８１に設けられた支持孔５７と所定の間隔を隔てて対向する位置に設けられている。この内壁５５と側壁８１との間に、リンク１３０の第１部位１３１が配置される（図１１参照）。すなわち、内壁５５は、リンク１３０の第１部位１３１の第１面１４４が当接可能な位置に設けられている。この内壁５５と側壁８１との離間距離は、軸１３９を含むリンク１３０の第１部位１３１の厚みよりも短くなるように設定されている。これにより、リンク１３０の軸１３９が支持孔５７から抜けることが防止される。
【００５２】
図７に示されるように、側端ガイド１１２の上面によって支持面５１が構成されている。支持面５１は、リンク１３０の第２部位１３２の下端１３７（図９参照）が当接される面である。後述されるが、リンク１３０は、下端１３７がこの支持面５１に当接されることにより、下方への回動が制止されて略水平な姿勢に維持される（図１１参照）。
【００５３】
ガイド面５９（図７及び図８参照）は、給紙トレイ２０の長手方向（挿入方向１０６）において、排紙トレイ２１の軸９１と対応する位置に設けられている。ガイド面５９は、側壁８１の上面の一部が給紙トレイ２０の幅方向１６の内側へ向けて斜め下方へ傾斜するように形成されている（図１１参照）。このガイド面５９が設けられていることにより、側壁８１の上方に位置する軸９１（例えば図１５参照）が側壁８１の上面に乗りあげることなく、支持面５１側へ移動する。すなわち、リンク１３０の回動が側壁８１に妨げられることがガイド面５９によって防止されている。
【００５４】
側壁８１の上面における支持孔５７よりも若干先端２９側に、第２突片５３が設けられている。第２突片５３は、側壁８１の上面から給紙トレイ２０の幅方向１６の内側（図７における左側）へ延出されている。第２突片５３は、リンク１３０の回動軌跡によって規定されるリンク１３０の回動面上に配置されている。図１１に示されるように、リンク１３０の軸１３９が支持孔５７に支持された状態では、リンク１３０の第１端１４１（図９参照）がこの第２突片５３に覆われる。このため、リンク１３０は、第２端１４２（図１１参照）が先端２９側へ移動するように回動された際に、第２突片５３に当接する（図１５参照）。
【００５５】
［排紙トレイ２１の構成］
以下、排紙トレイ２１の構成について詳細に説明する。
【００５６】
排紙トレイ２１は、図２及び図８に示されるように、トレイ本体９５及び拡張トレイ９６を有する。排紙トレイ２１は、トレイ本体９５に対して拡張トレイ９６が挿入方向１０６及び引出方向１０８へスライド可能に構成されている。
【００５７】
トレイ本体９５は、平面視で幅方向１６へ長い矩形に概ね形成されている。後述するが、このトレイ本体９５は、リンク１３０を介してトレイ本体７１に連結される。このトレイ本体９５の幅は、トレイ本体７１の幅よりも狭くなるように設定されている。具体的には、トレイ本体９５の幅は、給紙トレイ２０の幅方向１６の両側に設けられた２つの内壁５５（図３及び図６参照）の離間距離よりも狭くなるように設定されている。すなわち、トレイ本体７１の幅は、給紙トレイ２０の幅方向１６において、側壁８１とトレイ本体９５の側縁９０との間にリンク１３０が配置されるように設定されている。したがって、排紙トレイ２１のトレイ本体９５は、給紙トレイ２０の幅方向１６において、リンク１３０を挟んで給紙トレイ２０の内側に配置される。
【００５８】
トレイ本体９５の先端９７の両側には、幅方向１６の外側へ突出する軸９１が設けられている。軸９１は、リンク１３０の支持孔１３８（本発明の第１孔の一例、図９参照）に第２部位１３２の第２面１４５（図１０参照）側から挿通される（図１１参照）。この軸９１の外径寸法は、支持孔１３８の内径寸法よりも若干小さく設定されている。このため、軸９１は、リンク１３０の支持孔１３８に回転可能に支持される。軸９１の軸方向（幅方向１６の方向）長さは、図１１に示されるように、その先端９４がリンク１３０の第２部位１３２よりも側壁８１側に位置するように設定されている。すなわち、軸９１が支持孔１３８に支持された状態では、軸９１の先端９４が支持孔１３８から側壁８１側へ突出する（図１１参照）。図９及び図１１に示されるように、この軸９１の先端９４には、突起９９（本発明の突起の一例）が設けられている。突起９９は、軸９１の先端９４から支持孔１３８よりも軸９１の径方向外側へ突出するように設けられている。このため、軸９１は、支持孔１３８に回転可能に支持されるとともに、支持孔１３８からの抜けが突起９９によって防止される。
【００５９】
トレイ本体９５の先端９７の両側には、幅方向１６の外側へ突出する第１突片９２（本発明の第１ストッパの一例、本発明の第１突片に相当）が設けられている。第１突片９２は、先端９７の両端の上面から側壁８１の上方へ向けてリンク１３０の第２部位１３２の突端１４７の上方まで延出されている（図１１参照）。リンク１３０に対して排紙トレイ２１が回動されることにより、第１突片９２は、リンクの突端１４７の上面又は屈曲部１３３の上面に当接可能である（図１１及び図１３参照）。
【００６０】
拡張トレイ９６は、平面視で幅方向１６へ長い矩形に概ね形成されている。拡張トレイ９６の幅は、トレイ本体７１の側壁８１の離間距離よりも若干狭く設定されている。このため、給紙トレイ２０に対して排紙トレイ２１が倒伏された際に、拡張トレイ９６の側壁９８の裏面が給紙トレイ２０の側端ガイド１１１の上面に当接して下から支持される。
【００６１】
拡張トレイ９６の後端における幅方向１６の両側には、凹部９３が設けられている。凹部９３は、図３に示されるように、拡張トレイ９６の裏面から拡張トレイ９６の上面側へ凹むように設けられており、拡張トレイ７２の凸部７４（図３参照）と対応する位置及び形状に形成されている。給紙トレイ２０に対して排紙トレイ２１が倒伏されることにより、凸部７４が凹部９３に収容される。この状態で、拡張トレイ９６は、給紙トレイ２０の拡張トレイ７２に下から支持されるとともに、拡張トレイ７２に対する拡張トレイ９６のスライドが規制される。このため、トレイ本体７１に対して拡張トレイ７２がスライドされることにより、拡張トレイ９６が併せてスライドされる。その結果、排紙トレイ２１は、給紙トレイ２０と一体的に伸縮され、給紙トレイ２０の第２領域４２が排紙トレイ２１に覆われた状態が維持される。
【００６２】
拡張トレイ９６の後端における幅方向の中央には、延長トレイ１３が設けられている（図４参照）。延長トレイ１３は、排紙トレイ２１に排出された記録用紙の先端を下から支持するものである。延長トレイ１３は、挿入方向１０６及び引出方向１０８へスライド可能に構成されており、拡張トレイ９６に収容可能である。例えば図２や図３には、延長トレイ１３が拡張トレイ９６に収容された状態が示されている。
【００６３】
［リンク１３０の構成］
以下、リンク１３０の構成について詳細に説明する。
【００６４】
リンク１３０は、給紙トレイ２０のトレイ本体７１と、排紙トレイ２１のトレイ本体９５とを連結するものである。図９及び図１０に示されるように、リンク１３０は、第１端１４１から屈曲部１３３へ至る第１部位１３１と、屈曲部１３３から第２端１４２へ至る第２部位１３２と、を有する。第２部位１３２は、第１部位１３１に対して給紙トレイ２０の幅方向１６の内側へオフセットされている。これにより、図１１に示されるように、リンク１３０は、第１部位１３１が側壁８１と内壁５５との間に配置され、第２部位１３２が給紙トレイ２０の幅方向１６において内壁５５とほぼ同じ位置に配置される（図１１参照）。このように、リンク１３０は、給紙トレイ２０の幅方向１６において、第２部位１３２が第１部位１３１よりも給紙トレイ２０の内側に配置される屈曲形状に形成されている。第２部位１３２は、図９に示されるように、第１部位１３１よりも高さ方向（図１０の紙面に垂直な方向）の幅が若干広くなるように形成されている。このため、下端１３７が支持面５１（図７参照）に当接された状態（図１１に示される状態）では、リンク１３０は、第２端１４２が第１端１４１よりも若干高くなる。なお、第１部位１３１と第２部位１３２とを繋ぐ屈曲部１３３は、リブ１３５によって補強されている（図９参照）。
【００６５】
リンク１３０は、図９に示されるように、リンク１３０の第１端１４１側（第１部位１３１）に軸１３９を有する。軸１３９は、側壁８１の支持孔５７に回転可能に支持されるものである。このため、軸１３９の外径寸法は、支持孔５７の内径寸法よりも若干小さく設定されている。第１部位１３１からの軸１３９の軸方向長さは、第１部位１３１が側壁８１と内壁５５との間に配置された状態において、軸１３９の先端が側壁８１の外側（図７における右側）へ突出しない長さに設定されている。なお、上述のように側壁８１と内壁５５との離間距離は、第１部位１３１の厚みよりも広く、且つ第１部位１３１の厚みと軸１３９の軸方向長さとを加えた距離よりも狭く設定されている。このため、軸１３９は、内壁５５と側壁８１とによって支持孔５７からの抜けが防止される。また、軸１３９の先端は、支持部１２１への組み付けを容易に行うために、その一部が切り欠かれている（図９参照）。
【００６６】
リンク１３０は、リンク１３０の第２端１４２側（第２部位１３２）に支持孔１３８を有する。支持孔１３８は、リンク１３０の厚み方向（図１０における上下方向）へ貫通するように第２部位１３２の略中央に設けられている（図９参照）。排紙トレイ２１の軸９１は、この支持孔１３８に第２面１４５（図１０参照）側から挿通されて回転可能に支持される。このため、支持孔１３８の内径寸法は、軸９１の外径寸法よりも若干大きく設定されている。
【００６７】
リンク１３０は、第１部位１３１に設けられた軸１３９が支持孔５７に回転可能に支持され、第２部位１３２に設けられた支持孔１３８によって排紙トレイ２１の軸９１を回転可能に支持する。したがって、リンク１３０は、第１端１４１側が給紙トレイ２０に回動可能に連結され、第２端１４２が排紙トレイ２１における先端２９側に回動可能に連結される。
【００６８】
なお、上述のように、給紙カセット１０がプリンタ１００に装着された状態では、給紙カセット１０全体がプリンタ１００の開口１０５内に配置される。このため、リンク１３０の第１端１４１もプリンタ１００内に配置される。
【００６９】
［リンク１３０の姿勢変化］
以下、排紙トレイ２１の開閉に伴うリンク１３０の姿勢変化について説明する。
【００７０】
給紙トレイ２０に対して排紙トレイ２１が倒伏された状態（例えば図１や図２に示される状態）では、リンク１３０は、排紙トレイ２１の重量が第２端１４２側に作用する。したがって、リンク１３０は、外力が加えられない状態では、排紙トレイ２１から受ける重力によって、第２部位１３２の下端１３７（図９参照）が支持面５１（図７参照）に支持される。図９に示されるように、第２部位１３２が第１部位１３１よりも若干高く形成されている。このため、リンク１３０は、排紙トレイ２１から受ける重力によって、第２端１４２が第１端１４１よりも若干高い位置（本発明の第１位置の一例）に配置された第１姿勢に維持される（図１１及び図１２参照）。
【００７１】
ところで、第２端１４２が第１端１４１よりも高く設定されている場合、第２端１４２が第１端１４１と同じ高さに設定されている場合に比べて、リンク１３０が軸１３９を回動中心として回動された際の第２端１４２の上昇量が少なくなる。逆に、第２端１４２が第１端１４１よりも低く設定されている場合、第２端１４２が第１端１４１と同じ高さに設定されている場合に比べて、下端１３７が支持面５１に当接された際の軸９１が低くなる。これにより、給紙トレイ２０に積載可能な記録用紙の枚数が減少する。したがって、本発明の第１位置は、本実施形態においては、リンク１３０の第２端１４２が第１端１４１と略同じ高さとなる位置に設定されている。なお、ここでの略同じ高さとなる位置とは、本実施形態のように第２端１４２が第１端１４１よりも若干高くなる位置に限定されるものではなく、第２端１４２が第１端１４１よりも若干低くなる位置であってもよい。略同じ高さとは、具体的には、図１２に示されるように給紙カセット１０を側面視した場合に、軸９１の下端が軸１３９の上端よりも下側に位置し、且つ、軸９１の上端が軸１３９の下端よりも上側に位置する第２端１４２と第１端１４１との関係を意味する。
【００７２】
排紙トレイ２１の後端が上方へ持ち上げられると、図１２及び図１３に示されるように、倒伏されている排紙トレイ２１が軸９１を回動中心として給紙トレイ２０の後端３２（図１参照）側から先端２９（図１参照）側へ回動される。これに伴い、排紙トレイ２１の第１突片９２がリンク１３０の突端１４７の直上から屈曲部１３３の直上へ移動する。その間、排紙トレイ２１の重量が軸９１からリンク１３０の第２端１４２側に作用しているので、リンク１３０は第１姿勢に維持されたままである（図１３参照）。この第１姿勢のリンク１３０に対して排紙トレイ２１が先端２９側へ傾倒されると、第１突片９２が屈曲部１３３の上面に当接する（図１３参照）。この屈曲部１３３に当接した第１突片９２によって、第１姿勢のリンク１３０に対する排紙トレイ２１の先端２９側への回動が制止される。
【００７３】
第１突片９２が屈曲部１３３の上面に当接した状態で排紙トレイ２１に対して先端２９側へ外力が加えられると、排紙トレイ２１は、第１突片９２が屈曲部１３３に当接した状態を維持したまま、軸１３９を回動中心としてリンク１３０とともに先端２９側へ回動される。この姿勢変化に伴って排紙トレイ２１の重心がリンク１３０の支持孔１３８よりも先端２９側へ徐々に移動するので、排紙トレイ２１及びリンク１３０は容易に回動する。すなわち、リンク１３０は、排紙トレイ２１の回動に連動して、軸１３９を回動中心として、給紙トレイ２０の後端３２側から先端２９側へ回動される。これに伴い、リンク１３０は、その第２端１４２側が第１姿勢に維持されていた状態（図１３参照）に比べて上昇する。換言すれば、リンク１３０は、排紙トレイ１３０が先端２９側へ回動されて第１突片９２がリンク１３０の屈曲部１３３に当接するまでの間、上述の第１姿勢に維持される。
【００７４】
排紙トレイ２１が第１領域４１を覆う位置（図３参照）まで回動されると、排紙トレイ２１の上面が傾斜板２２に当接して排紙トレイ２１が傾斜板２２に下から支持される（図３及び図１４参照）。これにより、排紙トレイ２１の回動が傾斜板２２によって制止される。その結果、図１４及び図１５に示されるように、リンク１３０は、第２端１４２が第１端１４１（図９参照）のほぼ真上に配置された第２姿勢に維持される。すなわち、本発明の第２位置は、本実施形態においては、リンク１３０の第２端１４２が第１端１４１のほぼ真上に配置される位置である。なお、本実施形態においては、リンク１３０は、第１姿勢において第２端１４２が第１端１４１と略同じ高さであるため、第２端１４２側が給紙トレイ２０の後端３２側へ傾倒された状態（図１４及び図１５に示される状態）で第２姿勢となる。これにより、図３に示されるように、給紙トレイ２０の開口４１の第２領域４２が開放され、給紙トレイ２０への記録用紙の補給が可能となる。
【００７５】
リンク１３０が第１姿勢から第２姿勢へ姿勢変化されると、第１突片９２が屈曲部１３３から離間される（図１４参照）。このリンク１３０には、排紙トレイ２１によって先端２９側へ引っ張られるように力が作用する。リンク１３０の第１部位１３１の先端２９側には、第２突片５３（図１１参照）が設けられている。第２突片５３は、リンク１３０の第１端１４１に覆い被さるように側壁８１から延出されている。このため、図１５に示されるように、リンク１３０が軸１３９よりも後端３２側（図１４における左側）へ傾倒された状態で、リンク１３０の第１部位１３１の上面が第２突片５３に当接する。これにより、リンク１３０の先端２９側への回動が第２突片５３によって制止される。換言すれば、リンク１３０が先端２９側へ傾倒されることが第２突片５３によって確実に防止される。本実施形態においては、図１４に示されるように、軸１３９の回動中心から給紙トレイ２０の後端３２へ延びる線分と、軸１３９の回動中心からリンク１３０の長手方向へ延びる線分とのなす角度θが７０°＜θ＜９０°となるように、リンク１３０、支持孔５７、及び第２突片５３の位置や寸法などが設定されている。角度θが９０°以上に設定されている場合、リンク１３０が第２姿勢から第１姿勢へ姿勢変化される際の排紙トレイ２１の荷重移動が大きくなり、リンク１３０がスムーズに回動しないという問題が生じる。逆に、角度θが７０°以下に設定されている場合、リンク１３０が第１姿勢から第２姿勢へと姿勢変化された際の軸９１の上昇量が少なくなる。本実施形態では、リンク１３０が第１姿勢から第２姿勢へと姿勢変化された際に軸９１がより高く上昇し、且つリンク１３０の第２姿勢から第１姿勢への姿勢変化が滑らかに行われるように、角度θが８０°程度に設定されている。
【００７６】
図３に示されるように第１領域４１を覆う排紙トレイ２１の後端が後端３２側へ引き上げられると、排紙トレイ２１の重量が軸９１からリンク１３０の第２端１４２側に作用する。これにより、第１突片９２が屈曲部１３３の上面に当接するまで、リンク１３０が後端３２側へ回動される。第１突片９２が屈曲部１３３に当接すると、排紙トレイ２１の重心が軸１３９よりも先端２９側に位置しているので、その当接状態が維持される。このため、軸１３９を回動中心として、排紙トレイ２１及びリンク１３０が後端３２側へ一体的に回動される。これに伴い、排紙トレイ２１の重心が後端３２側（図１４における左側）へ徐々に移動して、リンク１３０の支持孔１３８にかかる重量が徐々に増大する。これにより、リンク１３０の第２端１４２が後端３２側へ移動する。リンク１３０が第２姿勢（図１４及び図１５参照）から第１姿勢（図１３参照）へと姿勢変化し、第２部位１３２の下端１３７が支持面５１に当接することによってリンク１３０が第１姿勢に維持される。
【００７７】
リンク１３０が第２姿勢から第１姿勢へと姿勢変化した後に排紙トレイ２１に対してさらに後端３２側へ外力が加えられると、第１突片９２がリンク１３０の屈曲部１３３から離間され、排紙トレイ２１が軸９１を回動中心として後端３２側へ回動される。排紙トレイ２１の側壁９８が側端ガイド１１１の上面に当接すると、排紙トレイ２１が給紙トレイ２０によって下から支持され、開口４０の第２領域４２が排紙トレイ２１に覆われる（図１及び図１２参照）。これにより、給紙トレイ２０内にゴミが進入したり、画像記録後の記録用紙が給紙トレイ２０内に進入してジャムが発生することが防止される。
【００７８】
［本実施形態の作用効果］
以上説明したように、第２領域４２を覆う排紙トレイ２１が開かれた際に、リンク１３０が回動して第１姿勢（図１２参照）から第２姿勢（図１４参照）へ姿勢変化される。これにより、図１１及び図１５に示されるように、排紙トレイ２１の回動中心が上方へ移動し、第２領域４２を通じて給紙トレイ２０内に記録用紙を入れるため空間が上方へ拡張される。したがって、排紙トレイ２１の回動中心を高くするために給紙カセット１０の高さを高くすることなく、開口４０の第２領域４２から軸９１の下側を通じて給紙トレイ２０に記録用紙を挿入するために必要な空間が充分に確保される。
【００７９】
また、給紙カセット１０は、リンク１３０の第１端１４１がプリンタ１００に装着された状態でプリンタ１００の開口１０５内に配置されるものである。上述のように、給紙カセット１０の高さを高くする必要がないので、上記空間を充分に確保しつつ、プリンタ１００を薄型化することができる。また、プリンタ１００は、給紙トレイ２０の下側に下段トレイ１０３が配置されるので大型化（厚型化）しやすい。すなわち、本発明の給紙カセットは、このようなプリンタ１００に装着されると効果的である。なお、本発明の給紙カセットは、画像記録装置に装着された状態でリンク１３０の第１端１４１が画像記録装置の外側に配置されるものであってもよい。
【００８０】
また、本実施形態においては、第１突片９２によって第２端１４２が給紙トレイ２０の先端２９側へ傾倒された状態で第２姿勢となり、その状態が第２突片５３によって確実に維持される。このため、リンク１３０の姿勢変化がスムーズに行われる。
【００８１】
また、本実施形態においては、第２端１４２が第１端１４１よりも給紙トレイ２０の幅方向１６の内側に配置される屈曲形状のものである。これにより、リンク１３０の第２部位１３２の外側に軸９１の抜け止めとして機能する突起９９を配置するための空間が確保される。このため、給紙トレイ２０の幅を広げることなく、支持孔１３８からの軸９１の抜けが防止される。
【００８２】
なお、本実施形態においては、本発明の画像記録装置がインクジェットプリンタである形態について説明したが、本発明の画像記録装置は、例えばレーザプリンタであってもよい。
【００８３】
また、本発明の第１位置及び第２位置は、上記実施形態で説明した位置に限定されるものではない。本発明の第１位置は、リンク１３０の第２端１４２が例えば第１端１４１よりも高くなる位置であってもよいし、本発明の第２位置は、リンク１３０の第２端１４２が例えば第１端１４１のちょうど真上となる位置であってもよい。
【００８４】
また、本実施形態においては、排紙トレイ２１に第１突片９２が設けられている形態について説明したが、本発明の第１ストッパは、排紙トレイ２１に当接可能にリンク１３０に設けられていてもよい。また、本実施形態においては、給紙トレイ２０に第２突片５３が設けられている形態について説明したが、本発明の第２ストッパは、給紙トレイ２０と当接可能にリンク１３０に設けられていてもよい。
【図面の簡単な説明】
【００８５】
【図１】図１は、給紙カセット１０の外観形状を示す斜視図であり、給紙カセット１０が縮短された状態を示す。
【図２】図２は、給紙カセット１０の外観形状を示す斜視図であり、給紙カセット１０が伸張された状態を示す。
【図３】図３は、給紙カセット１０の外観形状を示す斜視図であり、排紙トレイ２１が給紙トレイ２０の先端２９側へ回動された状態を示す。
【図４】図４は、給紙カセット１０が装着されたインクジェットプリンタ１００の外観形状を示す斜視図である。
【図５】図５は、プリンタ１００の内部構造を示す模式図である。
【図６】図６は、給紙トレイ２０の平面図であり、給紙トレイ２０が縮短された状態を示す。
【図７】図７は、図６におけるVII部の拡大図である。
【図８】図８は、排紙トレイ２１の平面図であり、排紙トレイ２１が縮短された状態を示す。
【図９】図９は、給紙カセット１０の分解斜視図であり、リンク１３０周辺の構成を示す。
【図１０】図１０は、リンク１３０の平面図である。
【図１１】図１１は、図１におけるXI部の拡大図である。
【図１２】図１２は、給紙カセット１０の要部拡大側面図であり、排紙トレイ２１が給紙トレイ２０の第２領域４２を覆った状態を示す。
【図１３】図１３は、給紙カセット１０の要部拡大側面図であり、排紙トレイ２１の第１突片９２がリンク１３０の屈曲部１３３に当接した状態を示す。
【図１４】図１４は、給紙カセット１０の要部拡大側面図であり、排紙トレイ２１が給紙トレイ２０の第１領域４１を覆った状態を示す。
【図１５】図１５は、図３におけるXV部の拡大図である。
【符号の説明】
【００８６】
１０・・・給紙カセット（本発明の給紙カセットの一例）
１６・・・幅方向
２０・・・給紙トレイ（本発明のトレイの一例）
２１・・・排紙トレイ（本発明の蓋の一例）
２９・・・先端
３０・・・搬送部
３２・・・後端
４０・・・開口
４１・・・第１領域
４２・・・第２領域
５３・・・第２突片（本発明の第２ストッパの一例、本発明の第２突片に相当）
５７・・・支持孔（本発明の第２孔の一例）
８１・・・側壁（本発明の側壁の一例）
９１・・・軸（本発明の第２軸の一例）
９２・・・第１突片（本発明の第１ストッパの一例、本発明の第１突片に相当）
９４・・・先端
９９・・・突起
１００・・・インクジェットプリンタ（本発明の画像記録装置の一例）
１３０・・・リンク
１３８・・・支持孔（本発明の第１孔の一例）
１３９・・・軸（本発明の第１軸の一例）
１４１・・・第１端
１４２・・・第２端
【図１】
0004793363.tif 000002
【図２】
0004793363.tif 000003
【図３】
0004793363.tif 000004
【図４】
0004793363.tif 000005
【図５】
0004793363.tif 000006
【図６】
0004793363.tif 000007
【図７】
0004793363.tif 000008
【図８】
0004793363.tif 000009
【図９】
0004793363.tif 000010
【図１０】
0004793363.tif 000011
【図１１】
0004793363.tif 000012
【図１２】
0004793363.tif 000013
【図１３】
0004793363.tif 000014
【図１４】
0004793363.tif 000015
【図１５】
0004793363.tif 000016